(57)【特許請求の範囲】
【請求項１】
油内蔵機器を設置した基礎部の少なくとも一部を取り囲むように形成されたコンクリート製の防油堤において、
前記防油堤の内壁を、防油機能を有するシートで覆い、
前記シートは、複数の種類のシートを重ねた多重シートであり、
前記多重シートは、防油機能を有する遮水シートと、該遮水シートを挟むように設けられた上部保護シート及び下部保護シートとを有し、各シートは相互に固定されていなく、自由に移動可能である、防油堤。
【請求項２】
請求項１に記載の防油堤において、
前記遮水シートは、ポリ塩化ビニルシートから成り、難燃性を有している、防油堤。
【請求項３】
請求項１に記載の防油堤において、
前記遮水シートは、ポリ塩化ビニルシートから成り、耐寒性を有している、防油堤。
【請求項４】
請求項１に記載の防油堤において、
前記上部保護シートは、不織布からなり、難燃性を有している、防油堤。
【請求項５】
請求項１に記載の防油堤において、
前記下部保護シートは、不織布から成るクッション材である、防油堤。
【請求項６】
請求項１に記載の防油堤において、更に、
前記防油堤の内側の前記シートの上に、敷き砂利が撒かれている、防油堤。
【請求項７】
油内蔵機器を設置した基礎部と、
前記油内蔵機器を取り囲むように形成されたコンクリート製の防油堤と、
前記防油堤の内壁を覆った、防油機能を有する多重シートとを備えた防油堤において、
前記多重シートの端部は、シート端部支持部材により支持され、該多重シートの端部以外の部分はコンクリート部分に固定されずに変位自在であり、
前記多重シートは、上部保護シートと、防油機能を有する遮水シートと、下部保護シートとを有し、各シートは相互に固定されて無く、自由に移動可能である、油内蔵機器の防油堤。
【請求項８】
油内蔵機器に対する防油堤の施工法に於いて、
防油堤のコンクリート部分を建設するステップと、
防油堤の底部を地面で形成した場合には、敷設地盤の不陸調整を行うステップと、
前記防油堤の底部及び内壁に沿って、防油機能を有する多重シートを敷設するステップと、
シート端部支持部材を取り付けて、前記多重シートの端部を支持するステップとを含み、
前記多重シートは、防油機能を有する遮水シートと、該遮水シートを挟むように設けられた上部保護シート及び下部保護シートとを有し、各シートは相互に固定されていなく、自由に移動可である、油内蔵機器の防油堤の施工法。
【請求項９】
請求項８に記載の油内蔵機器に対する防油堤の施工法に於いて、更に、
前記多重シートの上に、砂利の敷設を行うステップを含む、油内蔵機器の防油堤の施工法。
【請求項１０】
請求項８に記載の油内蔵機器に対する防油堤の施工法に於いて、前記多重シートを敷設するステップは、
前記防油堤の底部及び内壁に沿って、前記下部保護シートの敷設を行うステップと、
前記下部保護シートの上に、前記遮水シートの敷設を行うステップと、
前記遮水シートの上に、前記上部保護シートの敷設を行うステップとを有する、防油堤の施工法。
【請求項１１】
油内蔵機器に付随する既設の防油堤を改修する方法に於いて、
敷き砂利が有る場合、これを撤去するステップと、
前記防油堤の底部及び内壁に沿って、下部保護シートの敷設を行うステップと、
前記下部保護シートの上に、遮水シートの敷設を行うステップと、
前記遮水シートの上に、上部保護シートの敷設を行うステップとを含む、防油堤の改修方法。
【請求項１２】
請求項１１に記載の内蔵機器に付随する既設の防油堤を改修する方法に於いて、更に、
前記上部保護シートの上に、砂利の敷設を行うステップを含む、防油堤の改修方法。
【発明の詳細な説明】
【技術分野】
【０００１】
本発明は、油内蔵機器の防油堤に関する。更に具体的には、本発明は、例えば、油入変圧器等の油入電気機器の防油堤に関する。
【背景技術】
【０００２】
例えば、発電プラント等で使用する大型の主変圧器では、絶縁油の油量が変圧器１台当たり約20万ｔにも達する。従って、絶縁油が何等かの原因で漏れた場合に漏れた絶縁油が更に拡散しないようにするため、油入変圧器を、コンクリートで底及び側壁を形成して内部に砂利を敷き均した防油堤の中に設置している。
【０００３】
防油堤に関して従来技術を調査した結果、次の文献が検出された。
【先行技術文献】
【特許文献】
【０００４】
【特許文献１】特開平10-61031「油漏れ防止部材」（公開日1998年3月3日）
【特許文献２】特開2002-332694「鉄筋コンクリート構造物の目地部の構造」（公開日2002年11月22日）
【特許文献３】特開2006-8248「防油堤一体型タンク」（公開日2006年01月12日）
【特許文献４】特開2007-182736「防液堤」（公開日2007年07月19日）  しかし、これら特許文献１〜４には、以下に説明する本発明に係る防油堤の特徴を開示するものは存在しない。
【発明の概要】
【発明が解決しようとする課題】
【０００５】
このような油入変圧器に対するコンクリート製の防油堤は、例えば、風雨や温度変化による経年劣化又は地震等によってコンクリートに亀裂が入り、防油機能を失うおそれがあった。そこで、経年劣化や地震等に対して、防油機能を一層向上させた防油堤の開発が望まれていた。
【０００６】
更に、既に設置されているコンクリート製防油堤に対して、大幅な改修をすることなく施工可能な防油堤の開発が望まれていた。
【課題を解決するための手段】
【０００７】
そこで、本発明は、防油機能を向上させた新規な油内蔵機器の防油堤を提供することを目的とする。
【０００８】
更に、本発明は、防油機能を向上させた新規な油内蔵機器の防油堤の施工方法を提供することを目的とする。
【０００９】
更に、本発明は、既設のコンクリート製防油堤に対して大幅な改修をすることなく施工可能な新規な油内蔵機器の防油堤及びその施工方法を提供することを目的とする。
【００１６】
上記目的に鑑みて、本発明に係る防油堤は、油内蔵機器を設置した基礎部の少なくとも一部を取り囲むように形成されたコンクリート製の防油堤であって、前記防油堤の内壁を、防油機能を有するシートで覆い、前記シートは、複数の種類のシートを重ねた多重シートであり、前記多重シートは、防油機能を有する遮水シートと、該遮水シートを挟むように設けられた上部保護シート及び下部保護シートとを有し、各シートは相互に固定されていなく、自由に移動可能であることを特徴とする。
【００１７】
更に、上記防油堤では、前記遮水シートは、ポリ塩化ビニルシートから成り、難燃性を有していてもよい。
【００１８】
更に、上記防油堤では、前記遮水シートは、ポリ塩化ビニルシートから成り、耐寒性を有していてもよい。
【００１９】
更に、上記防油堤では、前記上部保護シートは、不織布からなり、難燃性を有していてもよい。
【００２０】
更に、上記防油堤では、前記下部保護シートは、不織布から成るクッション材であってよい。
【００２１】
更に、上記防油堤では、更に、前記防油堤の内側の前記シートの上に、敷き砂利が撒かれていてもよい。
【００２２】
更に、本発明に係る油内蔵機器の防油堤は、油内蔵機器を設置した基礎部と、前記油内蔵機器を取り囲むように形成されたコンクリート製の防油堤と、前記防油堤の内壁を覆った、防油機能を有する多重シートとを備えた防油堤であって、前記多重シートの端部は、シート端部支持部材により支持され、該多重シートの端部以外の部分はコンクリート部分に固定されずに変位自在であり、前記多重シートは、上部保護シートと、防油機能を有する遮水シートと、下部保護シートとを有し、各シートは相互に固定されて無く、自由に移動可能である。
【００２３】
更に、本発明に係る油内蔵機器の防油堤の施工法は、油内蔵機器に対する防油堤の施工法に於いて、防油堤のコンクリート部分を建設するステップと、防油堤の底部を地面で形成した場合には、敷設地盤の不陸調整を行うステップと、前記防油堤の底部及び内壁に沿って、防油機能を有する多重シートを敷設するステップと、シート端部支持部材を取り付けて、前記多重シートの端部を支持するステップとを含み、前記多重シートは、防油機能を有する遮水シートと、該遮水シートを挟むように設けられた上部保護シート及び下部保護シートとを有し、各シートは相互に固定されていなく、自由に移動可であることを特徴とする。
【００２４】
更に、上記油内蔵機器に対する防油堤の施工法では、更に、前記多重シートの上に、砂利の敷設を行うステップを含んでもよい。
【００２５】
更に、上記油内蔵機器に対する防油堤の施工法では、前記多重シートを敷設するステップは、前記防油堤の底部及び内壁に沿って、下部保護シートの敷設を行うステップと、前記下部保護シートの上に、遮水シートの敷設を行うステップと、前記遮水シートの上に、上部保護シートの敷設を行うステップとを有していてもよい。
【００２６】
更に、本発明に係る油内蔵機器に付随する既設の防油堤を改修する方法は、敷き砂利が有る場合、これを撤去するステップと、前記防油堤の底部及び内壁に沿って、下部保護シートの敷設を行うステップと、前記下部保護シートの上に、遮水シートの敷設を行うステップと、前記遮水シートの上に、上部保護シートの敷設を行うステップとを含む。
【００２７】
更に、上記油内蔵機器に付随する既設の防油堤を改修する方法では、更に、前記上部保護シートの上に、砂利の敷設を行うステップを含んでいてもよい。
【発明の効果】
【００２８】
本発明によれば、防油機能を向上させた新規な油内蔵機器の防油堤を提供することができる。
【００２９】
更に、本発明によれば、防油機能を向上させた新規な油内蔵機器の防油堤の施工方法を提供することができる。
【００３０】
更に、本発明によれば、既設のコンクリート製防油堤に対して大幅な改修をすることなく施工可能な新規な油内蔵機器の防油堤及びその施工方法を提供することができる。
【図面の簡単な説明】
【００３１】
【図１】図１は、油入変圧器の防油堤の一例を説明する部分断面図である
【図２】図２は、図１に示す円形IIの部分の夫々の拡大図である。
【図３】図３は、図１に示す円形IIIの部分の夫々の拡大図である。
【図４】図４は、図１に示す円形IVの部分の夫々の拡大図である。
【図５】図５は、図１に示す円形IVの部分の夫々の拡大図である。
【図６】図６は、図１の油入変圧器の施工法について説明するフローである。
【発明を実施するための形態】
【００３２】
以下、本発明に係る油内蔵機器の防油堤の実施形態に関して、添付の図面を参照しながら詳細に説明する。なお、図中、同じ要素に対しては同じ参照符号を付して、重複した説明を省略する。
【００３３】
以下の実施形態では、説明を分かり易くするため、本発明を実現する対象として代表的な「油入変圧器」を例にとって説明する。
【００３４】
しかし、本発明を実現する対象は、油入変圧器に限定されない。本発明は、油入変圧器に加えて、油入リアクトル、油入コンデンサ、油入ケーブル等の絶縁油が封入された全ての電気機器が対象となる。本出願書類では、これら絶縁油が封入された全ての電気機器を「油入電気機器」と称する。
【００３５】
更に、本発明を実現する対象は、油入電気機器に限定されない。本発明は、油入電気機器に加えて、軽油タンク、車両・飛行機等の燃料タンク、その他の全ての油タンク等が対象となる。本出願書類では、これらの油タンク等を「油内蔵機器」と称する。
【００３６】
［防油堤の構造］
図１は、油入変圧器の防油堤１を説明する部分断面図である。図面左側に描かれた変圧器基礎部２の上に、油入変圧器（図示せず。）が設置される。変圧器基礎部２は、概して円柱形又は矩形のコンクリート製の建造物である。この変圧器基礎部２の周囲の全部又は一部を取り巻くように、コンクリート製の防油堤１が形成される。
【００３７】
防油堤１は、変圧器基礎部２と、変圧器基礎部からほぼ水平方向に延在する底部３と、底部の先端から立ち上がる側壁４とを有し、変圧器基礎部２、底部３及び側壁４によって囲まれた空間に敷き砂利５が撒かれている。即ち、防油堤１の外形は、変圧器基礎部２を取り囲む溝形状であり、この溝は変圧器基礎部２、底部３及び側壁４によって形成され、溝内部には浅く敷き砂利が撒かれている。
【００３８】
なお、防油堤１にとって、コンクリート製の底部３は必須の要素ではない。即ち、コンクリート製の変圧器基礎部２及び側壁４に囲まれて、底部は地面で構成されている場合もある。この場合、後述するように、図６のステップＳ１１（敷設地盤の不陸調整）が必要となる。しかし、以下の説明は、底部２もコンクリートで構成されている場合を例にとって説明することを承知されたい。
【００３９】
なお、防油堤１にとって、敷き砂利５は必須の要素ではない。しかし、後述するように、敷き砂利５を撒くことにより、防火性能・鎮火性能を一層向上し、作業の利便性を一層向上することが出来る。
【００４０】
防油堤１の内壁は、多重シート１０で覆われ、後で説明するように、この多重シートの端部１０−１は、シート端部支持部材６，７で倒れないように夫々支えられている。概して、底部３の全部と、側壁４及び変圧器基礎部２の一部とは、地面ＧＬより下方、即ち、地下に形成されている。
【００４１】
防油堤１を構成するコンクリート２，３，４及び敷き砂利５の部分は、従来の防油堤においても存在している。即ち、従来の防油堤は、変圧器基礎部２の周囲にコンクリートで底部３及び側壁４を形成して内部に砂利５を敷き均した構造であった。
【００４２】
従来の防油堤と比較すると、本実施形態に係る防油堤１は、更に、防油堤１の内壁を覆う多重シート１０と、この多重シートの端部１０−１が倒れないように支えるシート端部支持部材６，７とを備えている点で相違する。
【００４３】
なお、対象が「油入電気機器」では、変圧器基礎部２は油入電気機器の基礎部となる。更に、対象が「油内蔵機器」では、変圧器基礎部２は油内蔵機器の基礎部となる。
【００４４】
図２、３、４及び５は、図１に示す円形II、円形III、円形IV及び円形Vの部分の夫々の拡大図である。
【００４５】
図１に示す円形IIの部分の拡大図である図２を参照願いたい。図１では、図面を簡単にするため、多重シート１０は単一の層として描かれている。しかし、図２を参照すると分かるように、多重シート１０は、少なくとも、防油機能を有する遮水シート１２を有する複数枚のシートから成る。
【００４６】
本実施形態では、多重シート１０は、下部保護シート１１と、下部保護シートの上を覆う遮水シート１２と、遮水シートの上を覆う上部シート１３とを有する多重のシートである。本実施形態の特徴の1つは、多重シート１０を構成する各シート１１，１２，１３は、各シート相互間で固定されたり、接着されたりしていなく、単に重ねられている点にある。従って、防油堤のコンクリート部分に温度変化、地震等による亀裂・変位が生じたとしても、各シートは別個独立に移動して、これらの影響を受けない。各シート間に熱膨張係数の相違があったとしても、各シートは相互に固定されていないので、或るシートの膨張・収縮は隣接する他のシートに影響を与えない。
【００４７】
ここで、多重シート１０の内で、防油機能を果たすための必須のシートは、遮水シート１２である。更に、遮水シート１２が、コンクリート部分又は敷き砂利等によって損傷されないように、遮水シートを挟むように下部保護シート１１及び上部保護シート１３を設けることが好ましい。
【００４８】
（下部保護シート１１）
下部保護シート１１は、その上に配置された遮水シート１２がコンクリート部分２，３，４と擦れて損傷しないように保護するためのクッション材となるシートである。具体的には、下部保護シート１１は、例えば、ポリエステル100％の長繊維不織布から成る面排水補強材を採用している。例えば、このようなポリエステル不織布として、東洋紡績株式会社製の品番ＯＤＳ２１０（2.2ｍｍ厚）を使用することができる。
【００４９】
（遮水シート１２）
遮水シート１２は、漏れた絶縁油が更に拡散しないように防油機能を有するシートである。この遮水シート１２は、優れた遮水性能が求められることは当然であるが、更に、難燃性を有していることが好ましい。更に、遮水シート１２は、油入変圧器を設置してある気象条件に対応して、優れた耐寒性（例えば、−30℃）を有することが好ましい。
【００５０】
なお、遮水シート１２の機能は、油入り変圧器のような油内蔵機器から漏れた油が透過しないように防ぐことにある。従って、本来は遮油シートとすべきかも知れない。しかし、このような油の透過を防止するシートも、「遮水シート」と称して市場に於いて取引されている。従って、本出願書類でもこれに倣って、用語「遮水シート」を使用する。
【００５１】
本発明者等は、これらの要求性能を満足する遮水シートとして、ポリ塩化ビニルシートを採用した。
【００５２】
典型的には、この遮水シート１２は、本出願人と三菱樹脂株式会社（旧三菱化学エムケイブイ株式会社）との共同で、品名「ＨＮシート」、品番「ＸＭ２０１」、色調ＢＫとして新たに開発されたものである。この防水シートは、物質名は可塑ポリ塩化ビニルフィルムである。外形寸法は、例えば、約2ｍ幅×約（10〜20）ｍ長さ×約2ｍｍ厚さである。
【００５３】
熱安定性に関しては、JIS-K-6258に準拠した試験により、温度130±2℃の変圧器絶縁油を、この遮水シートに対して1分間接触させた後、目視検査により外観に異常がないことを確認した。耐寒性に関しては、（財）化学物質評価研究機構にて、JIS-K-7216：1980に準拠した試験により脆化温度−27℃、同じくJIS-K-6773：1999に準拠した試験により柔軟温度−33℃であることを確認している。製品の安全性に関しては、三菱樹脂株式会社社内にて、各種の危険有害性等のデータを採取し、安全性を確認している。難燃性に関しては、（財）毛製品検査協会関西検査所にて、消防法施行規則に定める45°メッケルバーナー法に準拠した試験により、いずれも合格との結果を得ている。
【００５４】
更に、「ＨＮシート」をオイルタンクに付設する防油堤として使用する場合に備えて、耐薬品製試験、具体的には軽油に対する耐久試験を実施した。JIS-K-6258に準拠した試験により、試料サンプルを軽油に４日間及び１５日間浸漬した後、目視検査において異常がないことを確認した。更に、この軽油浸漬後、JIS-K-6251，JIS-K-6258に準拠した試験により、引っ張り強さ及び伸び率の測定を行い、いずれも合格との結果を得ている。
【００５５】
これ以外にも、遮水シートとして、三菱樹脂株式会社製の高性能ポリエチレン系しゃ水シート「メタプレーン」（登録商標）又は三菱樹脂株式会社製の土木用シート「ビニカ（登録商標）シート」を使用することも出来る。これらに関しても、同様の試験を行っている。
【００５６】
（上部保護シート１３）
上部保護シート１３は、遮水シート１２が敷き砂利５によって損傷しないように保護するためのシートであり、難燃性を有している。この難燃性保護シート１３は、リサイクル繊維をニードルパンチ製法で整形した不織布繊維シートから成る。例えば、堤防の護岸用吸出防止シートを利用している。このような上部保護シート１３は、具体的には、ドレイン工業株式会社製の品番ＦＰ−１０Ｓ（10ｍｍ厚）又はＦＰ−２０Ｓ（20ｍｍ厚）を利用することが出来る。
【００５７】
上部保護シート１３の上には、敷き砂利５が浅く撒かれている。万一、油入変圧器（図示せず。）から絶縁油が噴出した場合に、絶縁油が敷き砂利の間を通過する際に急速に油温が低下して、発火しないように、又は発火している絶縁油は鎮火するようにしている。更に、敷き砂利５を撒いて防油堤の底を浅くすることにより、作業員が油入変圧器及び防油堤の各要素に容易に接近して保守点検することができる。なお、この砂利５の部分は、従来の防油堤にも採用されている。
【００５８】
図１に示すように、防油堤１の内壁は、下部保護シート１１、遮水シート１２及び上部シート１３から成る多重シート１０で覆われ、この多重シートの端部１０−１は、シート端部支持部材６，７で倒れないように夫々支えられている。
【００５９】
図１に示す円形IIIの部分の拡大図である図３を参照願いたい。図３に示すように、多重シートの端部１０−１は、変圧器基礎部２に固定されたシート端部支持部材６によって、倒れないように支えられている。シート端部支持部材６は、例えば、亜鉛メッキ仕上げの角鋼と鋼板を用いて形成され、ステンレス製のオールアンカーで変圧器基礎部２に固定されている。
【００６０】
好ましくは、シート端部支持部材６の上端は、変圧器基礎部２との間に間隙が開かないように、コーキング処理８される。コーキング処理８をすることにより、変圧器基礎部２に設置された油入変圧器（図示せず。）から漏れた絶縁油（図示せず。）が、多重シート１０と変圧器基礎部２との間に侵入することなく越流して、敷き砂利５がある多重シート１０で囲まれた領域に流れて貯められることとなる。コーキング処理は、例えば、変性シリコーンを封止剤として使用することが出来る。
【００６１】
本実施形態の特徴の1つは、多重シート１０は、シート端部支持部材６で支持されているだけであり、シート端部支持部材６に対して固定されていない点にある。従って、多重シート１０は、シート端部支持部材６及び変圧器基礎部２に拘束されずに、自由に移動することが出来る。
【００６２】
図１に示す円形IVの部分の拡大図である図４を参照願いたい。図４に示すように、多重シートの端部１０−１は、シート端部支持部材７で倒れないように支えられている。シート端部支持部材７の断面は、例えば、逆Ｕ字状に形成され、側壁４を跨ぐように配置されている。シート端部支持部材７は、例えば、亜鉛メッキ仕上げの鋼板を用いて形成され、ステンレス製のオールアンカーで側壁4に固定されている。本実施形態の特徴の1つは、多重シート１０は、シート端部支持部材６で支持されているだけであり、シート端部支持部材７に対して固定されていない点にある。従って、多重シート１０は、シート端部支持部材７及び側壁４に拘束されずに、自由に移動することが出来る。
【００６３】
図１に示す円形Vの部分の拡大図である図５を参照願いたい。図５に示すように、多重シートの端部１０は、防油堤１の内壁を覆っている。即ち、多重シート１０は、防油堤１の底部３及び側壁４に沿って配置されている。多重シート１０は、図１に示す円形Vの部分（防油堤１の底部３と側壁４の境界部分）において、十分に弛みを持たせて丸く立ち上がるように配置されることが好ましい。多重シート１０に弛みを持たせて配置することにより、防油堤１の側壁４の部分が地盤沈下して移動したような場合でも、多重シート１０はそれに追従して引っ張られて破損するようなことはなく、防油の機能を維持出来る。
【００６４】
［防油堤の施工法］
次に、図６を参照しながら、油入変圧器の施工法について説明する。
【００６５】
ステップＳ１０で、新設の場合には防油堤のコンクリート部分の建設を行う。即ち、防油堤１を新設する場合には、変圧器基礎部２、底部３、側壁４等のコンクリート部分の建設を行う。なお、底部２をコンクリートで形成する場合と、地面をそのまま利用する場合がある。
【００６６】
ステップＳ１１で、底部をコンクリートで形成した場合にはステップＳ１３に進み、底部を地面そのまま利用した場合にはステップＳ１２に進んで、敷設地盤の不陸調整を行う。即ち、遮水シート敷設前に、敷設箇所の地面の極端な凸凹、水溜まりの有無を確認し、平坦になるよう調整する。
【００６７】
ステップＳ１３で、下部保護シート１１の敷設を行う。下部保護シート１１は、遮水シート１２が摩擦によって損傷されるのを防止するため敷設される。下部保護シート同士の重ね代は約100ｍｍ幅とし、この重ね代の継ぎ目は部分溶着によって固定される。
【００６８】
ステップＳ１４で、遮水シート１２の敷設を行う。遮水シート同士の重ね代は約100ｍｍ幅とし、この重ね代の継ぎ目は、例えばハンドタイプ熱風溶着機及び手動溶着機（いずれも図示せず。）を使って、約30ｍｍ幅を溶着して固定される。遮水シート１２と下部保護シート１１との間は何等固定されないので、両シートは別個独立に移動できる。
【００６９】
ステップＳ１５で、上部保護シート１３の敷設を行う。上部保護シート１３は、遮水シート１２が、その上に敷かれる砂利５によって損傷されないように保護するために敷設される。上部保護シート１３と遮水シート１２との間は何等固定されないので、両シートは別個独立に移動できる。結局、下部保護シート１１、遮水シート１２及び上部保護シート１３は、相互に固定されて無いため、熱膨張係数の差に起因するシート相互間の膨張・収縮差や、経年劣化や地震等による防油堤の変位を、別個独立に変位して吸収することが出来る。
【００７０】
ステップＳ１６で、シート端部支持部材６，７を取り付ける。シート端部支持部材６，７は、いずれも多重シート１０の端部１０−１（図３，４参照）が倒れるのを留め置くだけであり、多重シート１０を固定する物ではない。結局、多重シート１０は、その端部１０−１がシート端部支持部材６，７によって固定されていないため、経年劣化や地震等によるコンクリート部分の変位に対して、影響されない。
【００７１】
ステップＳ１７で、砂利５の敷設を行う。即ち、上部保護シート１３の上に、砂利５を敷設する。この砂利５の敷設は任意であり、必須の工程ではない。
【００７２】
なお、既設の防油堤に対して本実施形態に係る防油堤を施工する場合（即ち、改修の場合）は、ステップＳ１０は省略し、敷き砂利５が有れば敷き砂利の除去から開始し、次いでステップＳ１１以降の作業を行う。
【００７３】
［実施形態の利点・効果］
(1)多重シート１０は、防油堤のコンクリート部分に固定されていない。多重シート１０の端部が、シート端部支持部材６，７によって、倒れないように支えられているに過ぎない。従って、防油堤のコンクリート部分に、風雨や温度変化による経年劣化又は地震等による亀裂・変位が生じたとしても、多重シート１０はこれに影響されず、防油機能を維持することが出来る。
【００７４】
(2)多重シート１０は、防油機能を有する遮水シート１２を有している。遮水シート１２は、遮水性能に加えて、難燃性を有している。更に、多重シート１０は、変圧器の設置場所の気象条件等に応じて、必要な耐寒性（例えば、−30℃）をも有している。
【００７５】
(3)多重シート１０は、遮水シート１２とコンクリート部分との間に、下部保護シート１１を有している。下部保護シート１１は、遮水シート１２がコンクリート部分と擦れて損傷しないように保護している。
【００７６】
(4)多重シート１０は、遮水シート１２と敷き砂利４との間に、上部保護シート１３を有している。上部保護シート１３は、遮水シート１２が敷き砂利５と接触して損傷しないように保護している。上部保護シート１３は、難燃性を有している。
【００７７】
(5)下部保護シート１１、遮水シート１２及び上部保護シート１３の相互間は、固定されていない。従って、防油堤のコンクリート部分の温度変化、地震等による亀裂・変位があったとしても、各シートは別個独立に移動して、これらの影響を受けない。また、下部保護シート１１、遮水シート１２及び上部保護シート１３の熱膨張係数の相違があったとしても、各シートは相互に固定されていないので、各シートの膨張・収縮は隣接する他のシートに影響を与えない。
【００７８】
(6)本実施形態に係る防油堤１は、既存の防油堤に対して、多重シート１０及びシート端部支持部材６，７を組み込むことにより実現できる。即ち、既存の防油堤を大幅な改修をせずに実現することができる。
【００７９】
(7) 本実施形態に係る防油堤１は、敷き砂利５を除去するだけで、多重シートの点検を容易にすることが出来る。各シートは相互に固定されてないため、各シートの点検、特に遮水シートの防水機能の保守点検を容易にすることが出来る。
【００８０】
［代替例等］
以上、本発明に係る油内蔵機器の防油堤の実施形態を説明したが、これらは例示であって、本発明はこれに限定されない。本実施形態に対して、当業者が容易になしえる追加・変更・削除・改良等は、本発明の範囲内である。例えば、次のような変更も本発明の範囲内である。
【００８１】
(1)上述したように、本発明を実現する対象は、油入変圧器に限定されない。絶縁油が封入された全ての電気機器である「油入電気機器」、更には、軽油タンク等の「油内蔵機器」も対象となる。
【００８２】
(2)更に、本発明を実現する対象は、例えば、油内蔵機器から漏れる油に限定されない。広く、液体が漏れた場合に問題となる場合の「防液堤」にも応用できる。
【００８３】
従って、本発明の技術的範囲は、添付の特許請求の範囲の記載によって定められる。
【符号の説明】
【００８４】
１：油入変圧器の防油堤、  ２：変圧器基礎部，油入電気機器の基礎部，油内蔵機器の基礎部、  ３：底部、  ４：側壁、  ５：敷き砂利、  ６，７：シート端部支持部材、  ８：コーキング処理、  １０：多重シート、  １０−１：多重シートの端部、  １１：下部保護シート、  １２：遮水シート、  １３：上部保護シート、
ＧＬ：地面、
【図１】
0005013220.tif 000002
【図２】
0005013220.tif 000003
【図３】
0005013220.tif 000004
【図４】
0005013220.tif 000005
【図５】
0005013220.tif 000006
【図６】
0005013220.tif 000007